(57)【特許請求の範囲】
【請求項１】
コンタクトと、所定数のコンタクトを保持・固定する本体部とこの本体部の両端側に基板を本体部の嵌合部まで導くためのガイド部とこのガイド部の自由端側先端に基板を押さえるロックレバー部を有するハウジングとからなる電気コネクタにおいて、
前記ロックレバー部の幅方向外側にスリットを設けるとともに前記ガイド部の底面側に挿入孔を設け、かつ、ガイド部の側壁の嵌合口側に溝と壁を配置した前記ハウジングと、
一方端に前記ハウジングのスリットに保持・固定される圧入部と他方端に前記ハウジングのガイド部の自由端側先端に引っかける略「Ｊ」字形状にした引っかかり部と中央部付近にほぼ直角に折り曲げられるとともに本体に繋がり前記ハウジングの挿入孔に挿入される連結部と基板に接続する接続板とからなる略「Ｌ」字形状にした突出部とを有する補強金具と、からなることを特徴とする電気コネクタ。
【発明の詳細な説明】
【０００１】
【発明の属する技術分野】
本発明は、電気機器内に取り付けられる電気コネクタに関するもので、特に電気コネクタに挿入される基板のロック構造に関するものである。
【０００２】
【従来の技術】
図２と図３に基づいて従来の電気コネクタ６０の構造について説明する。
図２は、ロックレバー部５６とハウジング１２とを一体にした従来の電気コネクタ６０と部分的な基板４０の斜視図である。図３は、金属製のロックレバー１６を用いた従来の電気コネクタ６０と部分的な基板４０の斜視図である。
従来の電気コネクタ６０は主にハウジング１２とコンタクト１４から構成されている。
【０００３】
前記コンタクト１４は金属製であり、公知技術のプレス加工等で製作されている。このコンタクト１４は、機器内の基板に接続する接続部３８と前記ハウジング１２に固定される固定部と基板４０と接触する接触部３６の３部分から構成されている。
前記ハウジング１２は電気絶縁性のプラスチックであり、公知技術の射出成形等で製作されている。このハウジング１２には、所要数の前記コンタクト１４が挿入・固定される溝Ａ３４が設けられている。このハウジング１２の形状は、略コ字形状をしている。ハウジング１２は、本体部３２とこの本体部３２の幅方向両側に設けられたガイド部３０とからなっている。
【０００４】
まず、図２の従来の電気コネクタ６０について説明する。
ハウジング１２のガイド部３０の先端には、ロックレバー部５６が設けられている。このロックレバー部５６で基板４０を保持又はロックしている。ロックレバー部５６には、基板４０を押さえる押え部２４と基板４０を取り外す際に手で摘むツマミ部４８と手で摘んだ時にツマミ部４８が可動するようにスリットＡ５８とが設けられている。前記押え部２４が基板４０の上面に引っかかることで、基板４０を押さえている。
また、基板４０を嵌入する際に、ロックレバー部５６にバネ性を持たせるためにガイド部３０の側壁６２の外側にスリット５０を設けている。
【０００５】
次に、図３の従来の電気コネクタ６０について説明する。
図３の電気コネクタ６０は、上述した図２のロックレバー部５６部分を別部品のロックレバー１６にしている。このロックレバー１６は金属製であり、公知技術のプレス加工等によって製作されている。
ハウジング１２のガイド部３０の先端には、ロックレバー１６を挿入・固定するための挿入溝２６が設けられている。このロックレバー１６は前記挿入溝２６に圧入やカシメなどで固定されている。
前記ロックレバー１６には、一方端に基板４０を取り外す際に手で摘むツマミ部４８とこのツマミ部４８付近に基板４０を押さえる押え部２４とが設けられている。前記押え部２４が基板４０の上面に引っかかることで、基板４０を押さえている。
また、前記ロックレバー１６には、機器内の基板に半田付けされる接続板４６が設けられている。
【０００６】
【発明が解決しようとする課題】
上述の図２のようなハウジング１２と一体構造のプラスチック製ロックレバー部５６を使用した場合、ロックレバー部５６が電気絶縁性のプラスチックであり、基板４０を繰り返し挿抜するとロックレバー部５６が破損し、ロックが掛からなくなるといった解決すべき課題があった。
基板４０を繰り返し挿抜してもロックレバー部５６が破損しないように、図３のようなロックレバーを金属製の別部品にすることも考えられている。
しかし、基板４０の表面には、場合によっては全ての所にパターンがきられていることも多々ある。すると、金属製のロックレバー１６では基板４０のパターンとショートし、接触不良が発生するといった解決すべき課題が発生した。
また、電気コネクタ６０の金属製のロックレバー１６と基板４０のパターンがショートすると、電気コネクタ６０自体や機器自体を交換する必要が生じ、コストアップに繋がるという問題点もあった。
【０００７】
本発明は、上記のような問題点を解消するためになされたもので、基板４０を繰り返し挿抜してもロックレバー１６が変形したり破損することがなく、かつ、基板４０を嵌合させた際に基板４０のパターンとショートすることない電気コネクタ１０を提供することを目的とする。
【０００８】
【課題を解決するための手段】
上記目的は、コンタクト１４と所定数のコンタクト１４を保持・固定する本体部３２とこの本体部３２の両端側に基板４０を本体部３２の嵌合部２９まで導くためのガイド部３０とこのガイド部３０の自由端側に基板４０を押さえるロックレバー部５６を有するハウジング１２とからなる電気コネクタにおいて、
前記ロックレバー部５６の幅方向外側にスリット５０を設けとともに前記ガイド部３０の底面側に挿入孔を設け、かつ、ガイド部３０の側壁６２の嵌合口２８側に溝２５と壁２７を配置した前記ハウジング１２と、一方端に前記ハウジング１２のスリット５０に保持・固定される圧入部２０と他方端に前記ハウジング１２のガイド部３０先端に引っかける引っかかり部５４と中央部付近にほぼ直角に折り曲げられるとともに本体１７に繋がり前記ハウジング１２の挿入孔に挿入される連結部４７と基板４０に接続する接続板４６とからなる突出部４５とを有する補強金具１６とから構成することにより達成できる。
【０００９】
前記補強金具１６の引っかかり部５４を「Ｊ」字形状にする。ハウジング１２へ容易に引っかけることができる。
前記補強金具１６の突出部４５を「Ｌ」字形状にする。確実に基板４０に接続することができ、加工も容易である。
【００１０】
【発明の実施の形態】
図１に基づいて本発明の電気コネクタについて説明する。
図１（Ａ）は部分的な基板４０と本発明の電気コネクタ１０と補強金具１６の斜視図であり、（Ｂ）は本発明の電気コネクタ１０に使用される補強金具１６の斜視図である。
本発明の電気コネクタ１０も主にハウジング１２とコンタクト１４と補強金具１６とから構成されている。
この電気コネクタ１０の大きさは、大小様々あるが、本実施例では、長さが７２ｍｍ、幅が２９ｍｍ、厚みが４．０〜５．２ｍｍ程度である。幅は、コンタクトピッチ寸法や芯数によって変化する。本実施例では、コンタクトピッチが０．８ｍｍで、芯数が１４４芯である。コンタクトピッチとしては０．５〜２．５４ｍｍ等が考えられ、芯数としては７２〜２００芯等が考えられ、、機能や用途等によって適宜設計する。
この電気コネクタ１０の形状は、略コの字形状をしており、コ字形状をした部分で基板４０が挿入される嵌合口２８を形成している。
【００１１】
各々の構成部品の構造について図面を用いて説明する。
まず、本発明のポイント部分である前記補強金具１６について説明する。
この補強金具１６は金属製であり、公知技術のプレス加工によって製作されている。この補強金具１６の材質としては、バネ性や強度などが要求されるので、黄銅やリン青銅やベリリウム銅等が一般に用いられているが、バネ性やコストを考慮するとリン青銅がよい。
【００１２】
前記補強金具１６は主に引っかかり部５４と圧入部２０とＬ字形状の突出部４５とから構成され、形状は略「Ｊ」字形状をしている。
各々の部分について説明する。
前記補強金具１６の一方端側には、ハウジング１２に圧入される圧入部２０が設けられている。この圧入部２０には圧入するために突起又は凸部（図示せず）が一般的に設けられている。
また、もう一方端側には、前記ハウジング１２に引っかけるための引っかかり部５４が設けられている。この引っかかり部５４が前記ハウジング１２に引っかかることによって補強金具１６は位置決めされている。前記引っかかり部５４の形状としては、前記突出部４５側に略「Ｊ」字に折り曲げられている。引っかかり部５４の形状は前記ハウジング１２に引っかかる形状であれば「Ｊ」字形状に限定されず如何なる形状でもよい。
【００１３】
前記補強金具１６のほぼ中央部分には、ほぼ直角に折り曲げられたＬ字形状の突出部４５が設けられている。この突出部４５は、前記ハウジング１２に固定された状態で内側（嵌号口２８）方向に突出している。
この突出部４５は連結部４７と接続板４６とで構成されている。前記連結部４７は補強金具１６の本体と繋がった部分であり、前記接続板４６は連結部４７に繋がった基板４０に半田付けされる部分である。
前記補強金具１６は、図１（Ａ）のように矢印「イ」方向に前記ハウジング１２に挿入されている。
【００１４】
次に、本発明のポイント部分の１つである前記ハウジング１２について説明する。このハウジング１２は、電気絶縁性のプラスチックであり、公知の射出成形等で製作されている。このハウジング１２の材料としては、耐熱性や流動性が要求されるので、ポリブチレンテレフタレート（ＰＢＴ）・ポリエチレンテレフタレート（ＰＥＴ）・ポリアミド（ＰＡ）・ポリフェニレンサルファイド（ＰＰＳ）・液晶ポリマー（ＬＣＰ）等が使用されている。耐熱性や流動性を考慮すると、ＬＣＰがよい。
前記ハウジング１２の形状は、図１（Ａ）のように略「コ」の字形状をしている。
このハウジング１２は主に本体部３２とガイド部３０とからなっている。
【００１５】
前記本体部３２には、所要数のコンタクト１４を挿入・固定する溝Ａ３４が設けられている。コンタクト１４は、前記溝Ａ３４に圧入などによって固定されている。溝Ａ３４の大きさとしては、固定方法を考慮して適宜設計される。
また、前記本体部３２の嵌合口２８側には、基板４０との嵌合部２９が設けられ、この嵌合部２９にはコンタクト１４の接触部３６が突出している。
なお、前記ガイド部３０は本体部３２の幅方向両側に設けられている。このガイド部３０は、基板４０を嵌合口２８から嵌合部２９に導くためのガイド部分である。一般的に導くために溝（図示せず）が設けられることが多い。
【００１６】
前記ガイド部３０の先端部分には、図２の電気コネクタ６０と同様にロックレバーの機能を有する押え部２４がハウジング１２と一体に成形されている。この押え部２４を動かすために、ガイド部３０の最先端部にはツマミ部４８が設けられている。
また、前記押え部２４にバネ性及び摺動可能なように押え部２４の幅方向外側には、スリット５０が設けられている。このスリット５０と押え部２４との間に前記補強金具１６が圧入やカシメなどによって挿入・固定されている。このスリット５０の幅としては、押え部２４が摺動でき、摺動した際に破損しなければ如何なる大きさでもよく、強度や機能を考慮して適宜設計する。
【００１７】
前記ハウジング１２のガイド部３０の底面側には、補強金具１６の連結部４７が挿入される挿入孔（図示せず）が設けられている。この挿入孔は補強金具１６を保持するためのものであり、大きさは強度や保持力や補強金具１６のバネ性を考慮して適宜設計される。
また、前記ハウジング１２の側壁６２の内側（嵌合口２８側）には、溝２５と壁２７が設けられている。この溝２５と壁２７を設けることによって、ロックレバー部の摺動性を失われることなく、側壁６２を補強するようになっている。
上述した補強金具１６の役割は、押え部２４を摺動させた際の補強を目的にしている。
【００１８】
次に、コンタクト１４について説明する。
このコンタクト１４は、金属製であり、公知技術のプレス加工によって製作されている。コンタクト１４の材質としては、一般的にバネ性の良いベリリウム銅やリン青銅や黄銅が使用されている。バネ性やコストを考慮すると、リン青銅がよい。
このコンタクト１４は、基板６４に接続する接続部３８とハウジング１２に固定される固定部と基板４０と接触する接触部３６の３部分から構成されている。本実施例では、表面実装タイプ（ＳＭＴ）を図示したが、ストレートディップタイプでもＬ型ディップタイプでもよい。
【００１９】
【発明の効果】
上述したような構造をとることで、以下のような効果を得ることができる。
・基板４０に引っかかるロックレバー部５６は電気絶縁性のままなので、基板４０の表面に如何なる部分にパターンがきられていても、電気コネクタ１０と基板４０との間でショートすることがなくなった。
・ロックレバー部５６を補強するために補強金具１６を配置したので、基板４０を繰り返し挿抜してもロックレバー部５６が破損することがなくなり、電気コネクタ自体を交換することがなくなった。
・ロックレバー部５６が破損することがないので、安定した基板４０の挿抜を繰り返すことができる。
・電気コネクタ１０と基板４０とがショートすることがないので、電気コネクタ１０や機器自体を交換することがなくなった。
・ショートや破損することがないために、信頼性の高い電気コネクタ１０を得ることができる。
・補強金具１６は、容易にハウジング１２に挿入することができ、位置決めも簡単にできる。
・ハウジング１２の側壁６２の嵌合口２８側に溝２５と壁２７が設けられているので、基板４０の挿抜を繰り返し行ってもハウジング１２の側壁６２が破損しなくてすむ。
【図面の簡単な説明】
【図１】（Ａ）基板の一部と本発明の電気コネクタと補強金具の斜視図である。
（Ｂ）本発明の電気コネクタ１０に使用される補強金具の斜視図である。
【図２】基板の一部と従来の電気コネクタの斜視図である。
【図３】基板の一部と別の従来の電気コネクタの斜視図である。
【符号の説明】
１０、６０            電気コネクタ
１２                  ハウジング
１４                  コンタクト
１６                  補強金具
２０                  圧入部
２４                  押え部
２５                  溝
２６                  挿入溝
２７                  壁
２８                  嵌合口
２９                  嵌合部
３０                  ガイド部
３２                  本体部
３４                  溝Ａ
３６                  接触部
３８                  接続部
４０                  基板
４５                  突出部
４６                  接続板
４７                  連結部
４８                  ツマミ部
５０                  スリット
５４                  引っかかり部
５６                  ロックレバー部
５８                  スリットＡ
６２                  側壁
【図１】
0003713138.tif 000002
【図２】
0003713138.tif 000003
【図３】
0003713138.tif 000004